(57)【要約】      （修正有）【課題】安価で提供でき、もちろんヘッドマウントディスプレイによる立体視を阻害することもなく、様々な素材のフェイスパッドを清潔かつ衛生的に保つことができるフェイスカバーを提供する。【解決手段】ヘッドマウントディスプレイに付属するフェイスパッドとヘッドマウントディスプレイを装着する装着者の顔面との間に介在させてフェイスパッドに汚れが付着することを防止するヘッドマウントディスプレイ防汚用のフェイスカバー１は、不織布からなり装着者の両目を覆い得る横幅に形成された横長矩形形状のカバー本体２と、カバー本体２の左右の側縁に付設されたループ状耳かけ部材４とからなる。カバー本体２には装着者の目を露出させる開口部６が形成される。開口部６は装着者の右目用開口と左目用開口とが連結された、両目を一体的に露出させる単一の横長形状である。【選択図】図１Ａ
0003206912.tif 000002
【実用新案登録請求の範囲】
【請求項１】
ヘッドマウントディスプレイに付属するフェイスパッドと前記ヘッドマウントディスプレイを装着する装着者の顔面との間に介在させて、前記フェイスパッドに汚れが付着することを防止するヘッドマウントディスプレイ防汚用のフェイスカバーであって、
不織布からなり、前記装着者の両目を覆い得る横幅に形成された横長矩形形状のカバー本体と、前記カバー本体の左右の側縁に付設されたループ状耳かけ部材とからなり、
前記カバー本体には前記装着者の目を露出させる開口部が形成され、
前記開口部は前記装着者の右目用開口と左目用開口とが連結された、両目を一体的に露出させる単一の横長形状であることを特徴とするフェイスカバー。
【請求項２】
前記カバー本体は上下及び左右に関して対称形状であることを特徴とする請求項１に記載のフェイスカバー。
【請求項３】
前記カバー本体の４つの角は直線的に切り落とされていることを特徴とする請求項２に記載のフェイスカバー。
【請求項４】
前記耳かけ部材は前記カバー本体の両側縁にカバー本体２の上下対称の位置に取り付けられることを特徴とする請求項２に記載のフェイスカバー。
【請求項５】
前記耳かけ部材は前記カバー本体の両側縁にカバー本体２の上下非対称の位置に取り付けられることを特徴とする請求項２に記載のフェイスカバー。
【請求項６】
前記カバー本体は、左右対称形状であり、上下非対称形状であり、
前記カバー本体はその上部をなす額被覆部分の上下幅が下部をなす眼下・鼻被覆部分の上下幅よりも幅広であることを特徴とする請求項１に記載のフェイスカバー。
【請求項７】
前記カバー本体の４つの角のうち上部の２つの角が直線的に切り落とされていることを特徴とする請求項４に記載のフェイスカバー。
【請求項８】
前記耳かけ部材はその端部において前記カバー本体に熱圧着により接合されることを特徴とする請求項１に記載のフェイスカバー。
【考案の詳細な説明】
【技術分野】
【０００１】
本考案は、ヘッドマウントディスプレイ防汚用のフェイスカバーに関する。詳しくは、ヘッドマウントディスプレイに付属するフェイスパッドに汚れが付着することを防止するフェイスカバーに関する。
【背景技術】
【０００２】
バーチャルリアリティ（ＶＲ）体験等において頭部装着型のディスプレイ（ヘッドマウントディスプレイ：ヘッドマウントディスプレイ）が用いられている。ヘッドマウントディスプレイとしては、例えば装着者の両目を覆うゴーグル型のヘッドマウントディスプレイ等が知られている。
【０００３】
図５Ａ及び図５Ｂに示すゴーグル型ヘッドマウントディスプレイ１００はゴーグル型のヘッドマウントディスプレイ本体１０２の内部に装着者の左右の目に対応する２つのディスプレイ１０４が内蔵されたヘッドマウントディスプレイであり、２つのディスプレイ１０４の映像に視差角をつけることで擬似立体視を可能としている。ゴーグル型ヘッドマウントディスプレイ１００は装着者の頭部にストラップ１０６で固定された状態で使用される。これにより、使用時に装着者の頭部からヘッドマウントディスプレイがずれることを防止することができる。
【０００４】
さらに、ゴーグル型ヘッドマウントディスプレイ１００には装着者の顔面に当接する側の面にフェイスパッド１０８（フェイスクッションとも称される）が取り付けられている。フェイスパッド１０８は、例えば低反発ウレタン等の柔軟性・形状追従性を有する素材によって形成されており、装着者の顔面に密着し、装着者の顔面に対するヘッドマウントディスプレイのフィット性を高め、ヘッドマウントディスプレイのズレを防止する機能がある。例えば、特許文献1には、ゴーグルタイプのヘッドマウントディスプレイについて、顔又は眼に接する接顔部分にシリコンゴムのフレームを顔又は眼に接した状態で使用すること、が開示されている（特許文献１参照）。
【先行技術文献】
【特許文献】
【０００５】
【特許文献１】特開平８−１４００１４号公報（段落０００３）
【考案の概要】
【考案が解決しようとする課題】
【０００６】
前記のようにフェイスパッドは装着者の顔面に対するヘッドマウントディスプレイのフィット性を高め、ヘッドマウントディスプレイのズレを防止するという点で優れた機能を発揮する。しかし、フェイスパッドは装着者の顔面に直接接触する部品であるために、装着者の汗や皮脂、化粧品や整髪料等の汚れが付着することを避けられない。フェイスパッドに汚れが付着した場合、そこから雑菌が繁殖する等、衛生上の問題を生ずるため望ましくない。特に、イベントやアミューズメント施設等の不特定多数の来場者がヘッドマウントディスプレイを連続的に使用する状況においては、感染症の発症等、衛生上の問題がより深刻なものとなる。
【０００７】
フェイスパッドに付着した汚れを除去する方法としては、ウエットティシュ等で汚れを拭き取るという方法も考えられる。しかし、フェイスパッドの素材がスポンジ素材や起毛素材の場合、汚れの拭き取りが困難である。また、フェイスパッドの素材がウレタンゴム等の場合、汚れがフェイスパッドの内部まで浸透してしまい、表面の汚れを拭きとるだけでは衛生上の問題が解決されない。
【０００８】
フェイスパッドに付着した汚れを除去する別の方法としては、フェイスパッド自体を交換してしまうという方法も考えられる。しかし、コスト上の観点から頻繁にフェイスパッドを交換することは現実的でない。
【０００９】
以上説明したように、従来のゴーグル型ヘッドマウントディスプレイはフェイスパッドを清潔かつ衛生的に保ち、快適な使用を可能とするという点で未だ解決すべき課題を残すものであった。
【００１０】
本考案は、前記の課題を解決するためになされたものである。即ち、本考案の目的は、安価で提供でき、もちろんヘッドマウントディスプレイによる立体視を阻害することもなく、様々な素材のフェイスパッドを清潔かつ衛生的に保つことにある。
【課題を解決するための手段】
【００１１】
本考案に係るフェイスカバーは、ヘッドマウントディスプレイに付属するフェイスパッドとヘッドマウントディスプレイを装着する装着者の顔面との間に介在されてフェイスパッドに汚れが付着することを防止するものである。フェイスカバーは、不織布からなり装着者の両目を覆い得る横幅に形成された横長矩形形状のカバー本体と、カバー本体の左右の側縁に付設されたループ状耳かけ部材とからなる。カバー本体には装着者の目を露出させる開口部が形成される。開口部は装着者の右目用開口と左目用開口とが連結された、両目を一体的に露出させる単一の横長形状である。
【考案の効果】
【００１２】
本考案によれば、安価で提供でき、もちろんヘッドマウントディスプレイによる立体視を阻害することなく、ヘッドマウントディスプレイに付属するフェイスパッドを清潔かつ衛生的に保つことができる。
【図面の簡単な説明】
【００１３】
【図１Ａ】本実施形態に係るフェイスカバーの表面を示す平面図。
【図１Ｂ】図１Ａに示すフェイスカバーの裏面を示す平面図。
【図２】本実施形態の変形例に係るフェイスカバーの表面を示す平面図。
【図３Ａ】本実施形態の他の変形例に係るフェイスカバーの表面を示す平面図。
【図３Ｂ】本実施形態の他の変形例に係るフェイスカバーの表面を示す平面図。
【図３Ｃ】本実施形態の他の変形例に係るフェイスカバーの表面を示す平面図。
【図４Ａ】本実施形態の他の変形例に係るフェイスカバーの表面を示す平面図。
【図４Ｂ】本実施形態の他の変形例に係るフェイスカバーの表面を示す平面図。
【図５Ａ】ゴーグル型ヘッドマウントディスプレイの一例の斜視図。
【図５Ｂ】図５Ａに示すゴーグル型ヘッドマウントディスプレイを模式的に示す背面図。
【図６】本実施形態に係るフェイスカバーを装着者に装着した状態を示す斜視図。
【考案を実施するための形態】
【００１４】
以下、図面を参照しながら本実施形態に係るフェイスカバーを説明する。
【００１５】
［１］作用効果：  
本実施形態に係るフェイスカバー１は、図６に例示するようにヘッドマウントディスプレイ本体１０２に付属するフェイスパッド（図５Ｂ、１０８）とヘッドマウントディスプレイ本体１０２を装着する装着者Ｐの顔面との間に介在される。これにより、フェイスパッド１０８に装着者Ｐの顔面が直接接触することなく、フェイスパッド１０８に装着者Ｐの汗や皮脂、化粧品や整髪料等の汚れが付着し難くなる。従って、フェイスパッド１０８に付着した汚れから雑菌が繁殖する等の衛生上の問題を有効に防止することができる。また、フェイスカバー１はフェイスパッド１０８と装着者Ｐの顔面との間に介在させるだけで使用することができるので、フェイスパッド１０８の素材の種類を問わず使用することができる。
【００１６】
また、フェイスカバー１を構成するカバー本体２は不織布からなる。不織布は安価な素材であるため、フェイスカバー１を使い捨てとし、汚れたらその都度交換することができる。これにより、フェイスパッド自体を交換するよりもずっと安価に、フェイスパッドを清潔かつ衛生的に保つことができ、ヘッドマウントディスプレイを快適に使用することが可能となる。さらに、イベントやアミューズメント施設等の不特定多数の来場者がヘッドマウントディスプレイを連続的に使用する状況においては、装着者が変わるごとにフェイスカバー１を交換することもできる。このような使い方をすれば、感染症の発症等、衛生上の深刻な問題を解決する有効な方法となり得る。
［２］実施形態：  
図１Ａおよび図１Ｂに示すフェイスカバー１は、カバー本体２と、ループ状耳かけ部材４と、を備える。  
［カバー本体］  
カバー本体２は、不織布で構成され、装着者Ｐの両目を覆い、且つ両耳には到達しない程度の横幅で形成された略矩形横長形状の部材である。カバー本体２は、ポリエステル製の不織布により形成されている。但し、不織布の材質はポリエステルに限定されない。例えば、ポリエチレン、ポリプロピレン等の熱可塑性樹脂からなる短繊維を集積させた不織布を用いることができる。カバー本体２は伸縮性を有しない不織布により形成されている。これにより、フェイスカバー１が装着者の顔面からずれたり、フェイスカバー１の表面からフェイスパッド、ひいてはヘッドマウントディスプレイがずれたりする事態を効果的に防止することができる。
【００１７】
カバー本体２は、装着者Ｐの両目を一体的に覆う程度の横幅で、額の下方の部分から鼻根までの範囲を覆う程度の上下幅を有する「矩形横長形状」の布体である。例えば約２００ｍｍの横幅であれば、男女問わず９０％を超える成人に対して両目を一体的に覆うことができる。例えば約１１０ｍｍの上下幅であれば、男女問わず９０％を超える成人に対して額下部から鼻根までを覆うことができる。
【００１８】
カバー本体２の上部１０の２つの角部分３，５、及び下部８の角部分７，９を比較的大きく直線的に斜めに切り落とされており、例えば底辺３５ｍｍ程度の二等辺三角形状を切り落とされている。換言するとカバー本体２はその上部１０が、左右方向中央部の上下幅が広く、左右方向外側に向かうに連れて漸近的に上下幅が狭くなる形状に形成されている。カバー本体２の角部分３，５が切り落とされていない場合、それら角部分はこめかみ付近で顔面から離間するが、本実施形態ではカバー本体２の角部分３，５が切り落とされているので、カバー本体２が装着者の額の形状に合致し易く、カバー本体２の全面が好ましく顔面に密着するので、カバー本体２が装着者Ｐの髪にかかることはなく、フェイスカバー１を装着しても装着者Ｐのヘアスタイルを乱すことが少ない。従って、快適な装着感を得ることができる。
【００１９】
カバー本体２には装着者Ｐの両目を露出させる開口部６が、矩形の四隅をラウンドカットしたような矩形横長形状に開けられている。開口部６は装着者Ｐの右目用開口と左目用開口とが連結された、両目を一体的に露出させる単一の横長形状である。開口部６はその上下左右の中心線がカバー本体２の中心線Ｃ１，Ｃ２に位置合わせされている。開口部６の上下幅は例えば役３５ｍｍであって、横幅は例えば約１２０ｍｍである。この大きさであれば、男女問わず９０％を超える成人に対して両目を一体的に露出させることができる。なお、装着者の両目を露出させる一体的な開口形状である限り、開口部６の形状は特に限定されない。但し、開口部の形状はこのような形状には限定されず、装着者の両目を一体的に露出させる横長形状であれば足りる。例えば、図４Ａに示すような楕円形（開口部６Ａ）、又は長円形、図４Ｂに示すような菱型（開口部６Ｂ）等の形状を採用してもよい。
【００２０】
左右の目の各々に対応する２つの開口部を連結しないで別々に形成した場合、左右の目の間に仕切り部分が存在することになり、その仕切り部分が左右眼の視界の一方を遮ると左右眼用の映像に不整合が生じ、立体視効果を阻害するおそれがある。開口部６のように装着者Ｐの両目を一体的に露出させる横長形状の開口部６とすれば、カバー本体２が視界を遮る事態は発生せず、２つのディスプレイの映像がずれることはないためフェイスカバー１が装着者Ｐに対して多少ずれても、また装着者Ｐの左右眼距離の個人差の影響を受けずに立体視を阻害することがない。
【００２１】
カバー本体２の上部１０の上下幅Ｗ２は例えば約４０ｍｍである。カバー本体２の下部８の上下幅Ｗ１は上部１０の上下幅Ｗ２に等価な約４０ｍｍである。この幅Ｗ１，Ｗ２であれば、装着者Ｐの顔面に対するヘッドマウントディスプレイ本体１０２の装着位置が多少変動したとしてもフェイスパッド１０８はカバー本体２から外れることなく、カバー本体２はヘッドマウントディスプレイ本体１０２を保護することができる。
【００２２】
カバー本体２の形状、開口部６の形状、及びカバー本体２に対する開口部６の配置は、上下及び左右ともに各中央線Ｃ１，Ｃ２に関して対称形状である。上下及び左右ともに各中央線Ｃ１，Ｃ２に関して対称形状であることにより、ユーザは装着時にフェイスカバー１の上下を確認する必要がなく、つまり、フェイスカバー１は装着者Ｐに上下の区別無く装着することができ、利便性が高い。
【００２３】
なお、カバー本体２の形状は上下対称な形状には限定されず、装着者Ｐの両目を覆い得る横幅に形成された横長形状であれば足りる。例えば、図２に示すようにカバー本体２´は、横長の矩形形状であって、左右中心線Ｃ２に関して左右対称形状であり、上下中心線Ｃ２に関して上下非対称形状であってもよい。図２の例ではカバー本体はその上部１０の上下幅Ｗ２が下部８の上下幅Ｗ１よりも幅広である。カバー本体２の上部１０は例えば約４０ｍｍの上下幅Ｗ２であり、カバー本体２の下部８は例えば約３５ｍｍの上下幅Ｗ１である。カバー本体２´の４つの角のうち上部１０の２つの角３、５が直線的に斜めに切り落とされて等脚台形状をなしている。一方、下部８の角は丸くコーナーカットされている程度で上部１０のような直線的で斜めの切り落としはなされていない。下部８の下縁は下方に緩やかな円弧形状に又は等脚台形状に下方にやや張り出した形状に形成される。また図３Ａに示すような略矩形状（カバー本体３Ａ）、図３Ｂに示すような楕円形（カバー本体３Ｂ）、図３Ｃに示すようなひょうたん型（カバー本体３Ｃ）等の形状を採用してもよい。
［ループ状耳かけ部材］  
ループ状耳かけ部材４はカバー本体２の左右の側縁に付設されている。ループ状耳かけ部材４は、カバー本体２を装着者Ｐの顔面に当接させた状態で固定するための部材である。「ループ状」とは、カバー本体２とループ状耳かけ部材４が一体となって、耳に引っ掛けることが可能な環状部分に形成される。「ループ状」としたのは、メガネ型ヘッドマウントディスプレイにおけるメガネのつる（テンプル）部分の如き、前記環状部分が形成されない耳かけ部材を排除する趣旨である。
【００２４】
ループ状耳かけ部材４としては耳かけ紐を用いている。この耳かけ紐は、芯材となるゴム紐の表面がポリウレタン製の不織布によって被覆された、伸縮性を有する紐状部材である。但し、ループ状耳かけ部材はこのような形態に限定されるものではない。例えば、伸縮性を有する不織布からなる帯状部材を用いる等、従来公知の衛生マスクにおける耳かけ部材の形態に準じて適宜構成すればよい。
【００２５】
ループ状耳かけ部材４はその両端の接合部１２においてカバー本体２の側縁に結合される。典型的にはループ状耳かけ部材４はカバー本体２の中心線Ｃ１に関して上下対称の位置にある接合部１２においてカバー本体２の側縁に結合される。それにより上下反転して天地無用での装着を可能にするものであるが、それに限定されず図２に例示するように接合部１２は上下非対称の位置にあってもよい。その場合、装着者Ｐの両眼に対する両耳の高さは個人差があり、つまり耳の位置が頭部よりの高い位置に存在したり、低い位置に存在することがあるが、そのような個人差を、装着者Ｐがフェイスカバー１を適当に上下反転して装着することで許容することができる。
［製造方法］  
本考案のフェイスカバーの製造方法は特に限定されない。例えば図１Ａおよび図１Ｂに示すフェイスカバー１は、以下のような方法により製造される。カバー本体２の材料としては、伸縮性を有しないポリエステル製の不織布シートを用いた。不織布シートを上記説明した横長矩形形状にカットしてカバー本体２を形成する。ループ状耳かけ部材４としては、芯材となるゴム紐の表面がポリウレタン製の不織布によって被覆された、伸縮性を有する紐状部材を２本用いた。紐状部材の両端部をカバー本体２の左右の側縁部に配置し、カバー本体２に対して紐状部材を加熱圧着させることで、接合部１２を介して紐状部材両端をカバー本体２の左右の側縁部に固定する。
［使用方法］  
本考案のフェイスカバー１は以下のように使用する。図６に示すようにヘッドマウントディスプレイ本体１０２を装着する装着者Ｐの顔面にフェイスカバー１をあてがい、装着者Ｐの両耳にループ状耳かけ部材４を引っ掛けることにより、フェイスカバー１を装着者Ｐの顔面に固定する。その後、開口部６から装着者の両目が露出するようにフェイスカバー１の位置を調整する。フェイスカバー１にフェイスパッドが当接するようにヘッドマウントディスプレイ本体１０２を装着者Ｐの顔面に宛がう。その後、ストラップ１０６により装着者Ｐの頭部にヘッドマウントディスプレイ本体１０２を固定する。
【００２６】
本実施形態に係るフェイスカバー１よれば、装着したヘッドマウントディスプレイが使用時に上下方向にずれた場合でも、上部１０がそのずれを吸収し、フェイスパッドが上部１０に当接した状態を維持することができる。従って、フェイスカバー１の機能が損なわれることが少ない。また、比較的、凹凸が少ない装着者Ｐの額に当接する上部１０を幅広に構成することで、フェイスパッドとカバー本体２の実質的な接触面積を増やすことができ、フェイスカバー１が装着者の顔面からずれたり、フェイスカバー１の表面からフェイスパッド、ひいてはヘッドマウントディスプレイがずれたりする事態を有効に防止することができる。
【００２７】
本考案の実施形態を説明したが、これらの実施形態は、例として提示したものであり、考案の範囲を限定することは意図していない。これら実施形態は、その他の様々な形態で実施されることが可能であり、考案の要旨を逸脱しない範囲で、種々の省略、置き換え、変更を行うことができる。これら実施形態やその変形は、考案の範囲や要旨に含まれると同様に実用新案登録請求の範囲に記載された考案とその均等の範囲に含まれるものである。
【産業上の利用可能性】
【００２８】
本考案のフェイスカバーは、ヘッドマウントディスプレイ防汚用のフェイスカバーとして利用することができる。より具体的には、ヘッドマウントディスプレイに付属するフェイスパッドに汚れが付着することを防止するフェイスカバーとして特に好適に利用することができる。
【符号の説明】
【００２９】
１…フェイスカバー、２…カバー本体、４…ループ状耳かけ部材、６…開口部。
【図１Ａ】
0003206912.tif 000003
【図１Ｂ】
0003206912.tif 000004
【図２】
0003206912.tif 000005
【図３Ａ】
0003206912.tif 000006
【図３Ｂ】
0003206912.tif 000007
【図３Ｃ】
0003206912.tif 000008
【図４Ａ】
0003206912.tif 000009
【図４Ｂ】
0003206912.tif 000010
【図５Ａ】
0003206912.tif 000011
【図５Ｂ】
0003206912.tif 000012
【図６】
0003206912.tif 000013